(57)【特許請求の範囲】
【請求項１】
デジタル放送及びこれと同一デジタルデータの中継放送を該デジタル放送の受信周波数数と別周波数である中継周波数にて送信しているデジタル放送を受信するデジタル放送受信方法であって、
Ｎ系列で前記デジタル放送を前記受信周波数にて受信し、復調して得られたＮ系列の前記デジタル復調信号を合成または選択し、１つの復調デジタルデータを出力する第１の出力ステップと、
前記デジタル放送を受信している前記Ｎ系列のうち少なくとも１つの系列での受信周波数を前記中継周波数に切り換え、Ｎ／２以下の系列で前記中継放送を受信し、復調して得られた第一デジタル復調信号と、前記Ｎ系列からＮ／２以下の系列を除いた系列で前記デジタル放送を受信し、復調して得られた第二のデジタル復調信号とを合成または選択し、第１の出力ステップで出力されるデータと同一形式の１つの復調デジタルデータを出力する第２の出力ステップと、
前記第一のデジタル復調信号の信号品質と前記第二のデジタル復調信号の信号品質とを比較するステップと、
前記第一のデジタル復調信号の信号品質が前記第二のデジタル復調信号の信号品質よりも良くなった場合に、Ｎ系列からＮ／２以下の系列を除いた系列のうち少なくとも一つの系列での受信周波数を前記中継周波数に切り換え、Ｎ／２以上の系列で前記中継放送を受信し、復調して得られたデジタル復調信号と、前記Ｎ系列からＮ／２以上の系列を除いた系列で前記デジタル放送を受信し、復調して得られたデジタル復調信号とを合成または選択し、第１の出力ステップで出力されるデータと同一形式の復調デジタルデータを出力する第３の出力ステップと、
を備えることを特徴とするデジタル放送受信方法。
【請求項２】
前記Ｎ系列のＮは、２以上であることを特徴とする請求項１記載のデジタル放送受信方法。
【発明の詳細な説明】
【技術分野】
【０００１】
本発明は、デジタル放送を移動しながら受信する移動体用放送受信装置及び移動体用放送受信方法に係わり、特に中継局から同一放送を別周波数で中継している地上デジタルテレビジョン放送を、チャンネルを自動的に切り換えながらダイバーシティの効果をもって受信する移動体用放送受信装置及び移動体用放送受信方法に関するものである。
【背景技術】
【０００２】
日本の地上デジタルテレビジョン放送(以下、ISDB-T放送と略す)は、2003年12月1日から東名阪で本放送が開始された。ISDB-T放送は変調方式にＯＦＤＭ（Orthogonal  frequency  division  multiplexing）方式を用いているためマルチパスに強く、また時間インターリーブを施すことができるため、比較的移動体受信に強い。さらに、携帯階層、移動階層を用い、変調方式や誤り訂正符号化率を伝送歪みに対して強いパラメータを選択することも可能である。
このため、ISDB-T放送の移動体受信が期待されており、移動体受信機の検討が行われている。
【０００３】
検討項目には、移動受信により変化するサービスエリアに自動追従する、また、受信性能を向上する、などあるが、これらに対応した従来例に特許文献１がある。図10にその構成を示す。1001はアンテナであり、a、b、c、dの４系統がある。1002は選択部、1003は選局部、1004は復調／復号部であり、a、b２系統ある。1005は制御部、1006は出力部である。
【０００４】
アンテナ1001のa、b、c、d４系統のうち一つのアンテナを用いて選局部1003aと復調／復号部1004aで受信・復調・復号し、出力部1006に復調デジタルデータを出力する。一方、選局部1003bと復調／復号部1004bを用いて移動に追従して次のサービスエリアの系列局を検索するとともに、アンテナ1001のa、b、c、d４系統のうち最も信号品質のよいものを選択し、選局部1003aと復調／復号部1004aへのアンテナを切り換える。
【０００５】
（社）電波産業会（以下、ARIBと略す）の非特許文献１の第四編「地上デジタルテレビジョン放送PSI/SI運用規定」によれば、系列局の検索はBIT(Broadcaster  Information  Table)の拡張ブロードキャスタ記述子のaffiliation_id(系列識別)により識別され、移動受信などエリアをまたがって受信する場合に、同一系列のサービスを継続して受信することができることが示されている。
【０００６】
また、受信性能を向上するのみの従来例としては特許文献２や特許文献３がある。それぞれ、図11、図12に構成を示す。
【０００７】
図11において、1101はアンテナ、1102は選局部、1103は復調／復号部であり、a、b２系統ある。1104は選択部、1105は制御部、1106は出力部である。
【０００８】
アンテナ1101a、bのアンテナを用いて、選局部1102a、bはそれぞれ周波数ｆのチャンネルを選局し、それぞれ復調／復号部1103a、bで受信・復調・復号する。制御部1105は、a、bの系列のうち信号品質のよいほうを判別し、選択部1104を制御して信号品質のよい系列を選択し、出力部1106に復調デジタルデータを出力する。
【０００９】
また、図12において図11と同一記号は同一機能を示し、1201a、bは復調部、1202は遅延調整部、1203は選択／合成部、1204は復号部、1205は制御部である。
【００１０】
アンテナ1101a、bのアンテナを用いて、選局部1102a、bはそれぞれ周波数ｆのチャンネルを選局し、それぞれ復調部1201a、bで受信・復調する。制御部1205は、a、bの系列の信号品質を判別する。遅延調整部1202は復調部1201a、bで復調されたa系列とb系列の信号遅延を調整し、選択／合成部1203で制御部1205からの制御信号により信号品質のよい系列を選択する、又は、最大比合成する処理を行い、復号部1204で復号して出力部1106に復調デジタルデータを出力する。
【００１１】
図11と図12は、いわゆる空間ダイバーシティの従来例である。
【先行技術文献】
【特許文献】
【００１２】
【特許文献１】特開２００１−２５１２２９号公報
【特許文献２】特開２００１−１３６１１３号公報
【特許文献３】特開２００３−３３３０１２号公報
【非特許文献】
【００１３】
【非特許文献１】（社）電波産業会  技術資料「地上デジタルテレビジョン放送運用規定」ARIB  TR-B14  2.0版
【発明の概要】
【発明が解決しようとする課題】
【００１４】
図10の従来例では、移動受信により変化するサービスエリアに自動追従するチャンネル切り換え処理と、アンテナダイバーシティのためのアンテナ切り換え処理を同時に行うことができず、また、チャンネル切り換え処理及びアンテナ切り換え処理を行っているときには復調／復号処理がとぎれるという問題があった。
また、図11及び図12の従来例では移動受信により変化するサービスエリアに自動追従する処理については示されていない。
【課題を解決するための手段】
【００１５】
本発明は、デジタル放送及びこれと同一デジタルデータの中継放送を該デジタル放送の受信周波数数と別周波数である中継周波数にて送信しているデジタル放送を受信するデジタル放送受信方法であって、Ｎ系列で前記デジタル放送を前記受信周波数にて受信し、復調して得られたＮ系列の前記デジタル復調信号を合成または選択し、１つの復調デジタルデータを出力する第１の出力ステップと、前記デジタル放送を受信している前記Ｎ系列のうち少なくとも１つの系列での受信周波数を前記中継周波数に切り換え、Ｎ／２以下の系列で前記中継放送を受信し、復調して得られた第一デジタル復調信号と、前記Ｎ系列からＮ／２以下の系列を除いた系列で前記デジタル放送を受信し、復調して得られた第二のデジタル復調信号とを合成または選択し、第１の出力ステップで出力されるデータと同一形式の１つの復調デジタルデータを出力する第２の出力ステップと、前記第一のデジタル復調信号の信号品質と前記第二のデジタル復調信号の信号品質とを比較するステップと、前記第一のデジタル復調信号の信号品質が前記第二のデジタル復調信号の信号品質よりも良くなった場合に、Ｎ系列からＮ／２以下の系列を除いた系列のうち少なくとも一つの系列での受信周波数を前記中継周波数に切り換え、Ｎ／２以上の系列で前記中継放送を受信し、復調して得られたデジタル復調信号と、前記Ｎ系列からＮ／２以上の系列を除いた系列で前記デジタル放送を受信し、復調して得られたデジタル復調信号とを合成または選択し、第１の出力ステップで出力されるデータと同一形式の復調デジタルデータを出力する第３の出力ステップと、を備えるデジタル放送受信方法である。
【００１６】
また本発明は、前記Ｎ系列のＮは、２以上であるデジタル放送受信方法である。
【発明の効果】
【００１７】
本発明によれば、デジタル放送を移動しながら受信する移動体用放送受信装置において、中継局から同一放送を別周波数で中継している、すなわちＭＦＮ（Multi-Frequency  Network:多周波数ネットワーク。サービスエリアが重なる送信所に異なる周波数を割り当てるネットワーク）のデジタル放送サービスエリア間を移動する場合に、中継局間のチャンネルを自動的に切り換えている場合でも復調デジタルデータがとぎれることなく、且つ、ダイバーシティの効果をもって品質良く受信することができる効果がある。
【図面の簡単な説明】
【００１８】
【図１】本発明のISDB-T放送を受信する移動体受信機の構成を示すブロック図。（実施例１）
【図２】図１及び図３の移動体受信機の動作を説明するフローチャート。
【図３】本発明のISDB-T放送を受信する移動体受信機の構成を示すブロック図。（実施例２）
【図４】本発明のISDB-T放送を受信する移動体受信機の構成を示すブロック図。（実施例３）
【図５】図４の移動体受信機の動作を説明するフローチャート。
【図６】本発明のISDB-T放送を受信する移動体受信機の構成を示すブロック図。（実施例４）
【図７】図６の移動体受信機の動作を説明するフローチャート。
【図８】本発明のISDB-T放送を受信する移動体受信機の構成を示すブロック図。（実施例５）
【図９】図８の移動体受信機の動作を説明するフローチャート。
【図１０】従来例の移動体受信機の構成を示すブロック図。
【図１１】従来例の移動体受信機の構成を示すブロック図。
【図１２】従来例の移動体受信機の構成を示すブロック図。
【発明を実施するための形態】
【００１９】
以下に、本発明の実施の形態を、ISDB-T放送を移動受信する移動体受信機を例にとり説明する。
【実施例１】
【００２０】
図１は本発明の一実施例であるISDB-T放送を受信する移動体受信機の構成を示すブロック図である。
【００２１】
101はアンテナ、102は選局部、103は復調／復号部であり、a、b２系統ある。104は遅延調整部、105は選択部、106は制御部、107は出力部である。
【００２２】
図１の動作を図２のフローチャートを参照して説明する。
【００２３】
・ステップ201
まず、周波数ｆnowのチャンネルのサービスエリアに移動体がいたとする。
【００２４】
・ステップ202
アンテナ101a、bのアンテナを用いて、選局部102a、bはそれぞれ周波数ｆnowのチャンネルを選局し、それぞれ復調／復号部103a、bで受信・復調・復号する。制御部106は、a、bの系列のうち信号品質の良いほうを判別する。遅延調整部104は復調／復号部103a、bで復調・復号されたa系列とb系列の信号遅延を調整して同一データ位置にあわせ、制御部106からの制御信号により選択部105を制御して信号品質の良い系列を選択し、出力部107に復調デジタルデータを出力する。遅延調整部104での遅延あわせは、a系列、b系列それぞれの復調デジタルデータに含まれる同期信号や、復調／復号部103でのフレーム同期、シンボル同期信号を制御部106で比較して制御する。また、信号品質は、a系列、b系列それぞれの復調デジタルデータに含まれるデータ誤りフラグや、復調／復号部103で測定されるC/N、データ誤り率、ＭＥＲ(Modulation  Error  Ratio)などを制御部106で比較して判別する。ここでは図11と同様のいわゆる空間ダイバーシティ動作になる。
【００２５】
・ステップ203
制御部106でa系列、b系列両方の信号品質から判定する。信号品質を時間平均し、信号品質がa系列、b系列の両方とも劣化していると判定された場合にステップ204に進む。
【００２６】
・ステップ204
制御部106は選局部102bを制御して、次の中継局の周波数ｆnextのチャンネルを受信する。ｆnextはＮＩＴ(Network  Information  Table:ネットワーク情報テーブル。周波数などの伝送情報を伝送するもの)第２ループの地上分配システム記述子に記載されている。
【００２７】
・ステップ205、206
制御部106でb系列の信号品質を判定する。信号品質を時間平均し、信号品質が悪いときには現在選局している周波数のチャンネルはサービスエリアではないと判断し、次の候補の周波数をｆnextに設定し、ステップ204に戻る。
【００２８】
信号品質が良いと判定した場合はステップ207に進む。なお、ここでは全ての候補を判定して一番信号品質の良い周波数のチャンネルを選択してもよい。
【００２９】
また、図２では示していないが、全ての候補を判定しても信号品質の良い周波数のチャンネルがなかった場合は、現在のサービスエリアに隣接する中継局のサービスエリアがないと判断し、ステップ209に進む。
【００３０】
・ステップ207
制御部106でa系列、b系列それぞれの信号品質を判定する。
信号品質を時間平均し、信号品質がa系列の方がb系列よりも良く、また、信号品質としても良いと判定した場合は、まだサービスエリアはｆnow内と判断しステップ207を繰り返す。
【００３１】
信号品質がb系列の方がa系列よりも良く、また、信号品質としても良いと判定した場合は、ステップ208に進む。
【００３２】
信号品質がa系列、b系列とも劣化していると判定した場合は、現在のサービスエリアに隣接する中継局のサービスエリアがないと判断し、ステップ209に進む。
【００３３】
なお、図２では示していないが、a系列の信号品質が良くb系列の信号品質が悪くなった場合は、再びｆnowの周波数のチャンネルのサービスエリアに戻ったと判断し、ステップ202に戻る。
【００３４】
・ステップ208、210
サービスエリアがｆnextのチャンネルのサービスエリアに移ったと判断し、制御部106は選局部102aを制御して、次の中継局の周波数ｆnextのチャンネルを受信する。このとき、図11と同様のいわゆる空間ダイバーシティ動作になる。
【００３５】
ｆnextをｆnowに置き換え、ステップ203に戻る。
【００３６】
・ステップ209
現在のサービスエリアに隣接する中継局のサービスエリアがないと判断されたため、中継局再検索をするか、系列局検索、アナログチャンネル検索、他のデジタル放送チャンネル検索などの処理に移る。
【００３７】
以上のように、図１、図２の実施例によれば、中継局から同一放送を別周波数で中継している、すなわちＭＦＮのデジタル放送サービスエリア間を移動する場合に、中継局間のチャンネルを自動的に切り換えているb系列のｆnextの周波数のチャンネルを選局している場合でも、a系列のｆnowの周波数のチャンネルの復調デジタルデータと同じデータであるため、選択部105は制御部106からの制御信号により信号品質の良い系列を選択することで復調デジタルデータがとぎれることなく、且つ、ダイバーシティの効果をもって受信することができる効果がある。
【実施例２】
【００３８】
図３に本発明の一実施例であるISDB-T放送を受信する移動体受信機の構成を示すブロック図を示す。図１と同一記号は同一機能を示し、301a、bは復調部、302は遅延調整部、303は選択／合成部、304は復号部である。
【００３９】
図３の実施例は、図２のフローを図12の従来例に適用したものである。
【００４０】
図３の動作を図２のフローチャートを参照して説明する。
【００４１】
・ステップ201
まず、周波数ｆnowのチャンネルのサービスエリアに移動体がいたとする。
【００４２】
・ステップ202
アンテナ101a、bのアンテナを用いて、選局部102a、bはそれぞれ周波数ｆnowのチャンネルを選局し、それぞれ復調部301a、bで受信・復調する。制御部305は、a、bの系列のうち信号品質の良いほうを判別する。遅延調整部302は復調部301a、bで復調されたa系列とb系列の信号遅延を調整し、選択／合成部303で制御部305からの制御信号により信号品質のよい系列を選択する、又は、最大比合成する処理を行い、復号部304で復号して出力部107に復調デジタルデータを出力する。遅延調整部302での遅延あわせは、a系列、b系列それぞれの復調部301でのフレーム同期、シンボル同期信号などのタイミング信号を制御部305で比較して制御する。また、信号品質は、復調部301で測定されるC/N、ＭＥＲなどを制御部305で比較して判別する。ここでは図12と同様のいわゆる空間ダイバーシティ動作になる。
【００４３】
・ステップ203
制御部305でa系列、b系列両方の信号品質から判定する。信号品質を時間平均し、信号品質がa系列、b系列の両方とも劣化していると判定された場合にステップ204に進む。
【００４４】
・ステップ204
制御部305は選局部102bを制御して、次の中継局の周波数ｆnextのチャンネルを受信する。ｆnextはＮＩＴ第２ループの地上分配システム記述子に記載されている。
【００４５】
・ステップ205、206
制御部305でb系列の信号品質を判定する。信号品質を時間平均し、信号品質が悪いときには現在選局している周波数のチャンネルはサービスエリアではないと判断し、次の候補の周波数をｆnextに設定し、ステップ204に戻る。
【００４６】
信号品質が良いと判定した場合はステップ207に進む。なお、ここでは全ての候補を判定して一番信号品質の良い周波数のチャンネルを選択してもよい。
【００４７】
また、図２では示していないが、全ての候補を判定しても信号品質の良い周波数のチャンネルがなかった場合は、現在のサービスエリアに隣接する中継局のサービスエリアがないと判断し、ステップ209に進む。
【００４８】
・ステップ207
制御部305でa系列、b系列それぞれの信号品質を判定する。
信号品質を時間平均し、信号品質がa系列の方がb系列よりも良く、また、信号品質としても良いと判定した場合は、まだサービスエリアはｆnow内と判断しステップ207を繰り返す。
【００４９】
信号品質がb系列の方がa系列よりも良く、また、信号品質としても良いと判定した場合は、ステップ208に進む。
【００５０】
信号品質がa系列、b系列とも劣化していると判定した場合は、現在のサービスエリアに隣接する中継局のサービスエリアがないと判断し、ステップ209に進む。
【００５１】
なお、図２では示していないが、a系列の信号品質が良くb系列の信号品質が悪くなった場合は、再びｆnowの周波数のチャンネルのサービスエリアに戻ったと判断し、ステップ202に戻る。
【００５２】
・ステップ208、210
サービスエリアがｆnextのチャンネルのサービスエリアに移ったと判断し、制御部305は選局部102aを制御して、次の中継局の周波数ｆnextのチャンネルを受信する。このとき、図12と同様のいわゆる空間ダイバーシティ動作になる。
【００５３】
ｆnextをｆnowに置き換え、ステップ203に戻る。
【００５４】
・ステップ209
現在のサービスエリアに隣接する中継局のサービスエリアがないと判断されたため、中継局再検索をするか、系列局検索、アナログチャンネル検索、他のデジタル放送チャンネル検索などの処理に移る。
【００５５】
以上のように、図３、図２の実施例によれば、中継局から同一放送を別周波数で中継している、すなわちＭＦＮのデジタル放送サービスエリア間を移動する場合に、中継局間のチャンネルを自動的に切り換えている場合でも、切り換え前の周波数のチャンネルの復調信号(復調部301aの出力信号)と同じ復調信号(復調部301bの出力信号)であるため、選択／合成部303は制御部305からの制御信号により信号品質の良い系列を選択する、又は、合成し、復号部304で復号することで復調デジタルデータがとぎれることなく、且つ、ダイバーシティの効果をもって受信することができる効果がある。
【実施例３】
【００５６】
図３に本発明の一実施例であるISDB-T放送を受信する移動体受信機の構成を示すブロック図を示す。図１と同一記号は同一機能を示し、401はナビゲーション部、402はエリア情報部、403は制御部である。
図４の動作を図５のフローチャートを参照して説明する。
【００５７】
・ステップ501
まず、周波数ｆnowのチャンネルのサービスエリアに移動体がいたとする。
【００５８】
・ステップ502
アンテナ101a、bのアンテナを用いて、選局部102a、bはそれぞれ周波数ｆnowのチャンネルを選局し、それぞれ復調／復号部103a、bで受信・復調・復号する。制御部403は、a、bの系列のうち信号品質の良いほうを判別する。遅延調整部104は復調／復号部103a、bで復調・復号されたa系列とb系列の信号遅延を調整して同一データ位置にあわせ、制御部403からの制御信号により選択部105を制御して信号品質の良い系列を選択し、出力部107に復調デジタルデータを出力する。遅延調整部104での遅延あわせは、a系列、b系列それぞれの復調デジタルデータに含まれる同期信号や、復調／復号部103でのフレーム同期、シンボル同期信号を制御部403で比較して制御する。また、信号品質は、a系列、b系列それぞれの復調デジタルデータに含まれるデータ誤りフラグや、復調／復号部103で測定されるC/N、データ誤り率、ＭＥＲなどを制御部403で比較して判別する。ここでは図11と同様のいわゆる空間ダイバーシティ動作になる。
【００５９】
・ステップ503
ナビゲーション部401は最低限位置情報と、更に可能であれば地図情報、進行方向、目的地までのルートなどの情報を制御部403に出力する。エリア情報部402には放送局や中継局の場所、使用周波数、サービスエリアなどの情報が記憶されている。制御部403は位置情報やその他情報から現在のサービスエリアから次のサービスエリアへの移動を予測する。例えば、現在受信中の周波数ｆnowと同一放送を行っている中継局のサービスエリアに移動すると予測した場合はステップ504に進む。現在のサービスエリア内にしばらくいると予測した場合はエリア判定を繰り返す。移動予測した場所に同一放送を行っている中継局がない場合はステップ509に進む。
【００６０】
・ステップ504
制御部403は選局部102bを制御して、次の中継局の周波数ｆnextのチャンネルを受信する。ｆnextはエリア情報部402に記憶されている。なおこのとき、エリア情報部402の周波数情報とＮＩＴ第２ループの地上分配システム記述子に記載されている周波数情報を比較・確認する処理を加えてもよい。
【００６１】
・ステップ505
制御部403でa系列、b系列それぞれの信号品質を判定する。
信号品質を時間平均し、信号品質がa系列の方がb系列よりも良く、また、信号品質としても良いと判定した場合は、まだサービスエリアはｆnow内と判断しステップ505を繰り返す。
【００６２】
信号品質がb系列の方がa系列よりも良く、また、信号品質としても良いと判定した場合は、ステップ506に進む。
【００６３】
信号品質がa系列、b系列とも劣化していると判定した場合は、エリア情報部402の情報が誤っていることになる。ただし、この場合、一時的に劣化していることも考えられるため繰り返しチェックし、最終的に劣化していると判断した場合はステップ508に進む。
【００６４】
・ステップ506、507
サービスエリアがｆnextのチャンネルのサービスエリアに移ったと判断し、制御部403は選局部102aを制御して、次の中継局の周波数ｆnextのチャンネルを受信する。このとき、図11と同様のいわゆる空間ダイバーシティ動作になる。
【００６５】
ｆnextをｆnowに置き換え、ステップ503に戻る。
【００６６】
・ステップ508
エリア情報部402の情報が誤っている、または、情報が古い可能性があるためエリア情報更新処理を行う。その方法は、通信やDVDやメモリカードなどの記録媒体を使うなどして行う。受信機で受信可能な放送局を検索して更新してもよい。
【００６７】
・ステップ509
移動予測した場所に同一放送を行っている中継局がない場合は、同一放送を行っているアナログチャンネルまたは系列局を、更には他放送事業者チャンネルなどを検索する。
【００６８】
以上のように、図４、図５の実施例によれば、中継局から同一放送を別周波数で中継している、すなわちＭＦＮのデジタル放送サービスエリア間を移動する場合に、中継局間のチャンネルを自動的に切り換えているb系列のｆnextの周波数のチャンネルを選局している場合でも、a系列のｆnowの周波数のチャンネルの復調デジタルデータと同じデータであるため、選択部105は制御部403からの制御信号により信号品質の良い系列を選択することで復調デジタルデータがとぎれることなく、且つ、ダイバーシティの効果をもって受信することができる効果があり、また、ナビゲーション部401からの最低限位置情報、更に可能であれば地図情報、進行方向、目的地までのルートなどの情報と、エリア情報部402からの放送局や中継局の場所、使用周波数、サービスエリアなどの情報を用いることで、効率よく移動後の中継局のサービスエリアを予測することができる効果がある。
【実施例４】
【００６９】
図６に本発明の一実施例であるISDB-T放送を受信する移動体受信機の構成を示すブロック図を示す。図６は３系統の受信系がある。
【００７０】
図１または図４と同一記号は同一機能を示し、３系統目はcで表す。601は制御部である。
【００７１】
図６の動作を図７のフローチャートを参照して説明する。
【００７２】
・ステップ701
まず、周波数ｆnowのチャンネルのサービスエリアに移動体がいたとする。
【００７３】
・ステップ702
アンテナ101a、b、cのアンテナを用いて、選局部102a、b、cはそれぞれ周波数ｆnowのチャンネルを選局し、それぞれ復調／復号部103a、b、cで受信・復調・復号する。制御部601は、a、b、cの系列のうち信号品質の良い系列を判別する。遅延調整部104は復調／復号部103a、b、cで復調・復号されたa系列、b系列、c系列の信号遅延を調整して同一データ位置にあわせ、制御部601からの制御信号により選択部105を制御して信号品質の良い系列を選択し、出力部107に復調デジタルデータを出力する。遅延調整部104での遅延あわせは、a系列、b系列、c系列それぞれの復調デジタルデータに含まれる同期信号や、復調／復号部103でのフレーム同期、シンボル同期信号を制御部601で比較して制御する。また、信号品質は、a系列、b系列、b系列それぞれの復調デジタルデータに含まれるデータ誤りフラグや、復調／復号部103で測定されるC/N、データ誤り率、ＭＥＲなどを制御部601で比較して判別する。ここではいわゆる空間ダイバーシティ動作になる。
【００７４】
・ステップ703
ナビゲーション部401は最低限位置情報と、更に可能であれば地図情報、進行方向、目的地までのルートなどの情報を制御部601に出力する。エリア情報部402には放送局や中継局の場所、使用周波数、サービスエリアなどの情報が記憶されている。制御部601は位置情報やその他情報から現在のサービスエリアから次のサービスエリアへの移動を予測する。例えば、現在受信中の周波数ｆnowと同一放送を行っている中継局のサービスエリアに移動すると予測した場合はステップ504に進む。現在のサービスエリア内にしばらくいると予測した場合はエリア判定を繰り返す。移動予測した場所に同一放送を行っている中継局がない場合はステップ713に進む。
【００７５】
・ステップ704
制御部601は選局部102cを制御して、次の中継局の周波数ｆnextのチャンネルを受信する。ｆnextはエリア情報部402に記憶されている。なおこのとき、エリア情報部402の周波数情報とＮＩＴ第２ループの地上分配システム記述子に記載されている周波数情報を比較・確認する処理を加えてもよい。
このとき、a系列とb系列は空間ダイバーシティ動作を維持している。
【００７６】
・ステップ705
制御部601でa系列、b系列、c系列それぞれの信号品質を判定する。
【００７７】
信号品質を時間平均し、信号品質がa、b系列の方がc系列よりも良く、また、信号品質としても良いと判定した場合は、まだサービスエリアはｆnow内と判断しステップ705を繰り返す。
【００７８】
信号品質がc系列の方がa、b系列よりも良く、また、信号品質としても良いと判定した場合は、ステップ706に進む。
【００７９】
信号品質がa系列、b系列、c系列とも劣化していると判定した場合は、エリア情報部402の情報が誤っていることになる。ただし、この場合、一時的に劣化していることも考えられるため繰り返しチェックし、最終的に劣化していると判断した場合はステップ710に進む。
【００８０】
・ステップ706
サービスエリアがｆnextのチャンネルのサービスエリアに移ったと判断し、制御部403は選局部102bを制御して、次の中継局の周波数ｆnextのチャンネルを受信する。このとき、b系列とc系列はいわゆる空間ダイバーシティ動作になる。
【００８１】
・ステップ707
制御部601でa系列、b系列、c系列それぞれの信号品質を判定する。
信号品質を時間平均し、信号品質がa系列の信号品質が良いと判定した場合はa系列を使用することでいわゆる周波数ダイバーシティの効果が期待できるためステップ707を繰り返す。
【００８２】
a系列の信号品質が劣化していると判定した場合は、ステップ708に進む。
【００８３】
信号品質がa系列、b系列、c系列とも劣化していると判定した場合は、エリア予測が誤っている可能性がある。ただし、この場合、一時的に劣化していることも考えられるため繰り返しチェックし、最終的に劣化している判断した場合はステップ712に進む。
【００８４】
・ステップ708、709
サービスエリアがｆnextのチャンネルのサービスエリアに完全に移ったと判断し、制御部601は選局部102aを制御して、次の中継局の周波数ｆnextのチャンネルを受信する。このとき、a系列、b系列、c系列でいわゆる空間ダイバーシティ動作になる。ｆnextをｆnowに置き換え、ステップ703に戻る。
【００８５】
・ステップ710
エリア情報部402の情報が誤っている、または、情報が古い可能性があるためエリア情報更新処理を行う。その方法は、通信やDVDやメモリカードなどの記録媒体を使うなどして行う。受信機で受信可能な放送局を検索して更新してもよい。
【００８６】
・ステップ711
移動予測した場所に同一放送を行っている中継局がない場合は、同一放送を行っているアナログチャンネルまたは系列局を、更には他放送事業者チャンネルなどを検索する。
【００８７】
・ステップ712
ステップ703でナビゲーション部401からの情報で中継局を予測したが、予測が誤っていることが考えられる。ステップ712処理時点での位置情報をナビゲーション部401から得て、予測を確認する。予測通りの場合はステップ711へ進む。予測が外れていた場合はステップ703に戻る。
【００８８】
以上のように、図６、図７の実施例によれば、中継局から同一放送を別周波数で中継している、すなわちＭＦＮのデジタル放送サービスエリア間を移動する場合に、中継局間のチャンネルを自動的に切り換えているc系列のｆnextの周波数のチャンネルを選局している場合でも、a、b系列のｆnowの周波数のチャンネルは空間ダイバーシティの効果を有し、且つ、c系列の復調デジタルデータは同じデータであるため、選択部105は制御部601からの制御信号により、復調デジタルデータがとぎれることなく信号品質の良い系列を選択することができる効果があり、また、a、b、c全ての系列をｆnextの周波数のチャンネルに切り換えるまで周波数ダイバーシティの効果をもって受信することができる効果がある。さらにまた、ナビゲーション部401からの最低限位置情報、更に可能であれば地図情報、進行方向、目的地までのルートなどの情報と、エリア情報部402からの放送局や中継局の場所、使用周波数、サービスエリアなどの情報を用いることで、効率よく移動後の中継局のサービスエリアを予測することができる効果がある。
【実施例５】
【００８９】
図８に本発明の一実施例であるISDB-T放送を受信する移動体受信機の構成を示すブロック図を示す。図８は４系統の受信系がある。
【００９０】
図１または図４と同一記号は同一機能を示し、３系統目はc、４系統目はdで表す。801は制御部である。
【００９１】
図８の動作を図９のフローチャートを参照して説明する。
【００９２】
・ステップ901
まず、周波数ｆnowのチャンネルのサービスエリアに移動体がいたとする。
【００９３】
・ステップ902
アンテナ101a、b、c、dのアンテナを用いて、選局部102a、b、c、dはそれぞれ周波数ｆnowのチャンネルを選局し、それぞれ復調／復号部103a、b、c、dで受信・復調・復号する。制御部801は、a、b、c、dの系列のうち信号品質の良い系列を判別する。遅延調整部104は復調／復号部103a、b、c、dで復調・復号されたa系列、b系列、c系列、d系列の信号遅延を調整して同一データ位置にあわせ、制御部801からの制御信号により選択部105を制御して信号品質の良い系列を選択し、出力部107に復調デジタルデータを出力する。遅延調整部104での遅延あわせは、a系列、b系列、c系列、d系列それぞれの復調デジタルデータに含まれる同期信号や、復調／復号部103でのフレーム同期、シンボル同期信号を制御部801で比較して制御する。また、信号品質は、a系列、b系列、c系列、d系列それぞれの復調デジタルデータに含まれるデータ誤りフラグや、復調／復号部103で測定されるC/N、データ誤り率、ＭＥＲなどを制御部801で比較して判別する。ここではいわゆる空間ダイバーシティ動作になる。
【００９４】
・ステップ903
ナビゲーション部401は最低限位置情報と、更に可能であれば地図情報、進行方向、目的地までのルートなどの情報を制御部403に出力する。エリア情報部402には放送局や中継局の場所、使用周波数、サービスエリアなどの情報が記憶されている。制御部801は位置情報やその他情報から現在のサービスエリアから次のサービスエリアへの移動を予測する。例えば、現在受信中の周波数ｆnowと同一放送を行っている中継局のサービスエリアに移動すると予測した場合はステップ904に進む。現在のサービスエリア内にしばらくいると予測した場合はエリア判定を繰り返す。移動予測した場所に同一放送を行っている中継局がない場合はステップ909に進む。
【００９５】
・ステップ904
制御部801は選局部102c、dを制御して、次の中継局の周波数ｆnextのチャンネルを受信する。ｆnextはエリア情報部402に記憶されている。なおこのとき、エリア情報部402の周波数情報とＮＩＴ第２ループの地上分配システム記述子に記載されている周波数情報を比較・確認する処理を加えてもよい。
【００９６】
このとき、a系列とb系列は空間ダイバーシティ動作を維持している。また、c系列とd系列も空間ダイバーシティ動作となり、更に、a、b系列とc、d系列は周波数ダイバーシティ動作となる。
【００９７】
・ステップ905
制御部801でa系列、b系列、c系列、d系列それぞれの信号品質を判定する。
【００９８】
信号品質を時間平均し、信号品質がa、b系列の方がc、d系列よりも良く、また、信号品質としても良いと判定した場合は、まだサービスエリアはｆnow内と判断しステップ905を繰り返す。
【００９９】
信号品質がc、d系列の方がa、b系列よりも良く、また、信号品質としても良いと判定した場合は、ステップ706に進む。
【０１００】
信号品質がa系列、b系列、c系列、d系列とも劣化していると判定した場合は、エリア情報部402の情報が誤っていることになる。ただし、この場合、一時的に劣化していることも考えられるため繰り返しチェックし、最終的に劣化していると判断した場合はステップ908に進む。
【０１０１】
・ステップ906、907
サービスエリアがｆnextのチャンネルのサービスエリアに移ったと判断し、制御部801は選局部102a、bを制御して、次の中継局の周波数ｆnextのチャンネルを受信する。このとき、a系列、b系列、c系列、d系列でいわゆる空間ダイバーシティ動作になる。
【０１０２】
ｆnextをｆnowに置き換え、ステップ903に戻る。
【０１０３】
・ステップ908
エリア情報部402の情報が誤っている、または、情報が古い可能性があるためエリア情報更新処理を行う。その方法は、通信やDVDやメモリカードなどの記録媒体を使うなどして行う。受信機で受信可能な放送局を検索して更新してもよい。
【０１０４】
・ステップ909
移動予測した場所に同一放送を行っている中継局がない場合は、同一放送を行っているアナログチャンネルまたは系列局を、更には他放送事業者チャンネルなどを検索する。
【０１０５】
以上のように、図８、図９の実施例によれば、中継局から同一放送を別周波数で中継している、すなわちＭＦＮのデジタル放送サービスエリア間を移動する場合に、中継局間のチャンネルを自動的に切り換えているc、d系列のｆnextの周波数のチャンネルを選局している場合でも、a、b系列のｆnowの周波数のチャンネルの復調デジタルデータと同じデータであるため、選択部105は制御部801からの制御信号により信号品質の良い系列を選択することで復調デジタルデータがとぎれることなく、且つ、ダイバーシティの効果をもって受信することができる効果があり、また、ナビゲーション部401からの最低限位置情報、更に可能であれば地図情報、進行方向、目的地までのルートなどの情報と、エリア情報部402からの放送局や中継局の場所、使用周波数、サービスエリアなどの情報を用いることで、効率よく移動後の中継局のサービスエリアを予測することができる効果がある。
【０１０６】
なお、本実施例ではｆnowとｆnextを２系列ずつ切り換えたが、ｆnextを１系列ずつｆnowから切り換えていくことも可能である。また、サービスエリアが複数交わっている場合は２系列に別々のｆnextを割り当て、どちらが信号品質が良くなるかを判定し、信号品質が良い方のｆnextの方に切り換える処理とすることもできる。
【０１０７】
図４、図６、図８の実施例は図１の構成を基本としているが、図３の構成を基本としても構成することが可能である。
【０１０８】
図１と図３と図４、図６、図８の実施例はそれぞれ２系列、３系列、４系列の受信系の例を示しているが、更に系を多くしても同様に構成することが可能である。
【０１０９】
図１、図４、図６、図８の遅延調整部104及び図３の遅延調整部302の遅延量は、全国の中継局間の距離の最大から計算される電波の到来時間差と、空間ダイバーシティを構成するアンテナ間から計算される電波の到来時間差の和になる。全国の中継局間の距離の最大は、概ねISDB-T放送のガードインターバル期間よりも短いと考えられ、Mode３、ガードインターバル1/4の場合で252μs、Mode３、ガードインターバル1/8の場合で126μsである。ただし、サービスエリアが重なっていることを考えるとこの1/2の調整量でよい可能性もある。
【産業上の利用可能性】
【０１１０】
本発明は、ISDB-T放送の移動受信だけではなく全てのデジタル放送の移動受信に対応可能である。また、移動受信としては、人、自動車、電車、船舶など、どのようなものでもよい。
【符号の説明】
【０１１１】
101a、b、c、d  アンテナ
102a、b、c、d  選局部
103a、b、c、d  復調／復号部
104  遅延調整部
105  選択部
106  制御部
107  出力部
301a、b  復調部
302  遅延調整部
303  選択／合成部
304  復号部
401  ナビゲーション部
402  エリア情報部
403  制御部
601  制御部
801  制御部
【図１】
0004641044.tif 000002
【図２】
0004641044.tif 000003
【図３】
0004641044.tif 000004
【図４】
0004641044.tif 000005
【図５】
0004641044.tif 000006
【図６】
0004641044.tif 000007
【図７】
0004641044.tif 000008
【図８】
0004641044.tif 000009
【図９】
0004641044.tif 000010
【図１０】
0004641044.tif 000011
【図１１】
0004641044.tif 000012
【図１２】
0004641044.tif 000013